(57)【要約】      （修正有）【課題】パドルが流体中で回転中に異なる回転抵抗力を有する可変抵抗を有するエクササイズマシンを提供する。【解決手段】エクササイズマシン１は、流体容器１０と、１つまたは複数のパドル１１と、駆動装置１２と、調整装置１３とを備える。流体容器１０には流体が注入される。１つまたは複数のパドル１１は流体容器１０に内設される。駆動装置１２は１つまたは複数のパドル１１に連結される調整ロッド１２５を含み、駆動装置１２は使用者の力を伝導させるために用いられ、調整ロッド１２５により１つまたは複数のパドル１１が回転を行う。調整装置１３は流体中でのパドル１１の高さの調整に用いられ、パドル１１が流体中で回転中に異なる回転抵抗力を有するようにさせる。【選択図】図１Ａ
0003214581.tif 000002
【実用新案登録請求の範囲】
【請求項１】
流体が注入される流体容器と、
前記流体容器に内設される１つまたは複数のパドルと、
前記１つまたは複数のパドルに連結される調整ロッドを含み、使用者の力を伝導させるために用いられ、前記調整ロッドにより前記１つまたは複数のパドルが回転を行う駆動装置と、
前記調整ロッドの高さの調整に用いられ、前記１つまたは複数のパドルが前記流体中で異なる高さを有するようにさせ、前記流体中で回転中に異なる回転抵抗力を有するようにさせる調整装置と、を備えることを特徴とする、
エクササイズマシン。
【請求項２】
前記調整装置はノブ及びリンク機構を備え、前記ノブには前記リンク機構が連結され、前記リンク機構には前記調整ロッドが連結され、前記ノブが回転されることにより前記調整ロッドの高さが調整されることを特徴とする請求項１に記載のエクササイズマシン。
【請求項３】
前記リンク機構は横固定管と、ベースと、ピボットベースと、リンクアームと、ナットとを備え、前記横固定管は前記エクササイズマシンの２つの側管の間に連結され、前記ピボットベースは前記横固定管の下方に連結され、前記ベース及び前記リンクアームの後端はピボットベースに連結され、前記ノブは前記ナットに噛合された後に前記ベースに固定されるねじ山を有し、前記リンクアームの前端には前記調整ロッドが連結され、前記リンクアームの前端の両側にはスロットを各々有し、固定部品は前記スロットに内設されると共に前記調整ロッドの上端に固定されることを特徴とする請求項２に記載のエクササイズマシン。
【請求項４】
前記調整装置はノブと、ノブカバーと、台座とを備え、前記ノブは前記調整ロッドの上端のねじ山に噛合されるめねじを有し、前記ノブの回転により前記調整ロッドが上下移動を行い、前記ノブカバーは前記ノブの下方に位置されると共に前記台座に固定され、前記台座は上部支持管に固定されることを特徴とする請求項１に記載のエクササイズマシン。
【請求項５】
前記調整装置はシャフトと、制御部材と、スリーブと、２つのバネと、固定板と、接続部材とを備え、前記固定板は前記エクササイズマシンの２つの側管の間に固定され、前記シャフトは前記スリーブを貫通させ、前記シャフトの上端は固定板に固定され、前記シャフトの下端は前記エクササイズマシンの上部支持管に固定され、前記制御部材は前記スリーブの開口部を貫通させ、前記２つのバネは前記スリーブの内部に位置されると共に前記制御部材の両側にそれぞれ位置され、且つ前記シャフトにより貫通され、各前記バネは第一端及び第二端を有し、前記第一端は前記スリーブの内壁に連結され、前記第二端は前記制御部材に連結され、前記接続部材の両端は前記調整ロッド及び前記スリーブにそれぞれ連結され、前記制御部材が使用者により押されていない場合、前記２つのバネの内径が前記シャフトの外径より小さくなり、前記制御部材が使用者により押されると、前記２つのバネの内径が前記シャフトの外径より大きくなることを特徴とする請求項１に記載のエクササイズマシン。
【考案の詳細な説明】
【技術分野】
【０００１】
本考案は、可変抵抗を有するエクササイズマシンに関する。
【背景技術】
【０００２】
ルームランナー（ｉｎｄｏｏｒ  ｒｏｗｅｒ）またはローイングマシン（ｒｏｗｉｎｇ  ｍａｃｈｉｎｅ）は水上ボート運動をシミュレートするマシンであり、エクササイズ或いはボートのトレーニングを目的とする。
【０００３】
従来の特許文献では、例えば、特許文献１にはローウァー（ｒｏｗｅｒ）が記載されている。ローイングマシンは水を入れるための中空の容器を有することを特徴とする。毎回ボートを漕ぐ動作を担う引張部分は、駆動ロープが引っ張られることにより、容器の水の中に位置されるパドルが回転を行うことで運動量効果が発生する。水の乱流（ｔｕｒｂｕｌｅｎｃｅ）がパドルの回転時の抵抗として提供される。しかしながら、この特許で提供されるローイングマシンは、抵抗力を調整不能である。
【０００４】
また、特許文献２に可変抵抗を有するローイングマシンが記載され、第一流体キャビティ及び第二流体キャビティを有する。回転機構は第一流体キャビティ内で回転を行う。回転機構の回転の抵抗力の大きさは第一流体キャビティ内の流体の量により決定される。第二流体キャビティは第一流体キャビティ内に位置されるか、或いは第一流体キャビティに隣接する。
第二流体キャビティにより第一流体キャビティ内の流体が適切な量に調整されることで、ローイングマシンが必要な抵抗力を有する。流体が第一流体キャビティを流通させた後に第二流体キャビティに進入し、第一流体キャビティに還流する。流体を制御することにより、第一流体キャビティの流体が適切な量に調整され、ローイングマシンが異なる抵抗力を有する。
【先行技術文献】
【特許文献】
【０００５】
【特許文献１】アメリカ特許出願第４８８４８００号明細書
【特許文献２】アメリカ特許出願第７６２８７３９号明細書
【考案の概要】
【考案が解決しようとする課題】
【０００６】
そこで、本考案者は上記の欠点が改善可能と考え、鋭意検討を重ねた結果、合理的設計で上記の課題を効果的に改善する本考案の提案に到った。
【０００７】
かかる従来の実情に鑑みて、本考案は、可変抵抗を有するエクササイズマシンを提供することを目的とする。
【課題を解決するための手段】
【０００８】
上述した課題を解決し、目的を達成するための本考案に係る可変抵抗を有するエクササイズマシンは、流体が注入される流体容器と、前記流体容器に内設される１つまたは複数のパドルと、前記１つまたは複数のパドルに連結される調整ロッドを含み、使用者の力を伝導させるために用いられ、前記調整ロッドにより前記１つまたは複数のパドルが回転を行う駆動装置と、前記調整ロッドの高さの調整に用いられ、前記１つまたは複数のパドルが前記流体中で異なる高さを有するようにさせ、前記流体中で回転中に異なる回転抵抗力を有するようにさせる調整装置とを備えることを特徴とする。
【０００９】
好ましい実施形態において、前記調整装置はノブ及びリンク機構を備える。前記ノブには前記リンク機構が連結され、前記リンク機構には前記調整ロッドが連結される。前記ノブが回転されることにより前記調整ロッドの高さが調整される。
【００１０】
好ましい実施形態において、前記リンク機構は横固定管と、ベースと、ピボットベースと、リンクアームと、ナットとを備える。前記横固定管は前記２つの側管の間に連結され、前記ピボットベースは前記横固定管の下方に連結され、前記ベース及び前記リンクアームの後端はピボットベースに連結される。前記ノブは前記ナットに噛合された後に前記ベースに固定されるねじ山を有する。前記リンクアームの前端には前記調整ロッドが連結される。
【００１１】
好ましい実施形態において、前記リンクアームの前端の両側にはスロットを各々有し、固定部品は前記スロットに内設されると共に前記調整ロッドの上端に固定される。
【００１２】
好ましい実施形態において、前記調整装置はノブを備える。前記ノブは前記調整ロッドの上端のねじ山に噛合されるめねじを有し、前記ノブの回転により前記調整ロッドが上下移動を行う。
【００１３】
好ましい実施形態において、前記調整装置はノブカバー及び台座を更に備える。前記ノブカバーは前記ノブの下方に位置されると共に前記台座に固定され、前記台座は上部支持管に固定される。
【００１４】
好ましい実施形態において、前記調整装置はシャフトと、制御部材と、スリーブと、２つのバネと、固定板と、接続部材とを備える。前記固定板は前記エクササイズマシンの２つの側管の間に固定され、前記シャフトは前記スリーブを貫通させ、前記シャフトの上端は固定板に固定され、前記シャフトの下端は前記エクササイズマシンの上部支持管に固定される。前記制御部材は前記スリーブの開口部を貫通させ、前記２つのバネは前記スリーブの内部に位置されると共に前記制御部材の両側にそれぞれ位置され、且つ前記シャフトにより貫通される。各前記バネは第一端及び第二端を有し、前記第一端は前記スリーブの内壁に連結され、前記第二端は前記制御部材に連結される。前記接続部材の両端は前記調整ロッド及び前記スリーブにそれぞれ連結される。
【００１５】
好ましい実施形態において、前記制御部材が使用者により押されていない場合、前記２つのバネの内径が前記シャフトの外径より小さくなる。前記制御部材が使用者により押されると、前記２つのバネの内径が前記シャフトの外径より大きくなる。
【考案の効果】
【００１６】
本考案の実施形態に係るエクササイズマシンによれば、使用者が便利且つ高速に動作抵抗力を調整可能である。
【図面の簡単な説明】
【００１７】
【図１Ａ】本考案の第１実施形態に係る可変抵抗を有するエクササイズマシンを示す斜視図である。
【図１Ｂ】本考案の第１実施形態に係る可変抵抗を有するエクササイズマシンの駆動装置を示す一部の斜視図である。
【図２Ａ】本考案の第１実施形態に係る可変抵抗を有するエクササイズマシンを示す一部の斜視図である。
【図２Ｂ】本考案の第１実施形態に係る可変抵抗を有するエクササイズマシンの駆動装置を示す一部の側面図である。
【図２Ｃ】本考案の第１実施形態に係る可変抵抗を有するエクササイズマシンの調整装置を示す一部の斜視図である。
【図３Ａ】本考案の第１実施形態に係る可変抵抗を有するエクササイズマシンを示す一部の斜視図である。
【図３Ｂ】本考案の第１実施形態に係る可変抵抗を有するエクササイズマシンを示す一部の側面図である。
【図４】本考案の第２実施形態に係る可変抵抗を有するエクササイズマシンを示す一部の斜視図である。
【図５】本考案の第２実施形態に係る可変抵抗を有するエクササイズマシンを示す側面図である。
【図６】本考案の第２実施形態に係る可変抵抗を有するエクササイズマシンを示す側面図である。
【図７】本考案の第３実施形態に係る可変抵抗を有するエクササイズマシンを示す一部の斜視図である。
【図８】本考案の第３実施形態に係る可変抵抗を有するエクササイズマシンの調整装置を示す傾斜図である。
【図９】本考案の第３実施形態に係る可変抵抗を有するエクササイズマシンを示す側面図である。
【図１０】本考案の第３実施形態に係る可変抵抗を有するエクササイズマシンを示す側面図である。
【考案を実施するための形態】
【００１８】
以下、図面を参照して本考案に係る可変抵抗を有するエクササイズマシンの実施形態について説明する。尚、以下に説明する実施の形態は、実用新案登録請求の範囲に記載された本考案の内容を限定するものではない。また、以下に説明される構成の全てが、本考案の必須要件であるとは限らない。
【００１９】
以下、図１Ａ〜１０を参照しながら、本考案をさらに詳しく説明する。
【実施例】
【００２０】
（第１実施形態）
本考案の第１実施形態の構成を図１Ａから図３Ｂに示す。図１Ａは本考案の第１実施形態に係る可変抵抗を有するエクササイズマシン１を示す斜視図である。
エクササイズマシン１は主な部材として流体容器１０と、パドル１１と、駆動装置１２と、調整装置１３とを備える。流体容器１０内には適量の流体１５が注入され、好ましくは水が注入されるが、油や他の溶液或いは流体でもよく、必要に応じて他の成分が添加される。流体容器１０は開口部（図示せず）を有し、流体１５の注入或いは流体容器１０内での流体１５の高さの調整に用いられる。パドル１１は流体容器１０に内設され、パドル１１の数量は１つまたは複数でもよい。使用者が駆動装置１２に力をかけると、パドル１１が回転される。また、使用者は調整装置１３を利用して流体１５中でのパドル１１の高さを調整可能であり、パドル１１が流体１５中で回転を行う際に異なる回転抵抗力を有し、これによりエクササイズマシンが異なる抵抗力を提供可能となる。
【００２１】
図１Ａに示されるように、エクササイズマシン１は好ましくはローイングマシンであるが、これに限定されない。例として示すのみで制限するわけではないが、エクササイズマシン１はフロントチューブ２０と、リアチューブ２１と、２つの側管２２と、上部支持管２３と、ガイドトラック２４と、シート２５と、２つのペダル２６とを備える。
互いに連結される２つの側管２２は、その一端がフロントチューブ２０に連結され、他端はガイドトラック２４の前端に連結され、ガイドトラック２４の両側辺には１つのペダル２６がそれぞれ枢着または連結される。上部支持管２３は２つの側管２２の間に位置されると共に２つの側管２２に連結される。上部支持管２３の後端はガイドトラック２４の前端に連結され、ガイドトラック２４の後端はリアチューブ２１に連結される。また、シート２５は滑車２７を介してガイドトラック２４上で前後移動を行う。なお、取り外し可能なフレーム２８はフロントチューブ２０とガイドトラック２４との間に装設され、流体容器１０の支持に用いられる。フレーム２８は十字型の構造を有するが、これに限定されない。
【００２２】
図１Ｂは本考案の第１実施形態に係る可変抵抗を有するエクササイズマシン１の駆動装置を示す一部の斜視図である。図１Ａ及び図１Ｂに示されるように、駆動装置１２はハンドル１２１と、１つまたは複数のローラー１２２Ａ／Ｂ／Ｃと、ベルトレシーバー１２３と、引き戻し装置１２４と、調整ロッド１２５とを備える。
調整ロッド１２５の下端はパドル１１に連結され、ベルトレシーバー１２３の中心は調整ロッド１２５に連結される。ベルトレシーバー１２３は一方向軸受け（図示せず）を有する。ベルト１２６はベルトレシーバー１２３を巻回させ、且つベルトレシーバー１２３中から引き出されると共に３つのローラー１２２Ａ、１２２Ｂ、１２２Ｃにより方向が転換された後にハンドル１２１に連結される。ローラー１２２Ａ／Ｂ／Ｃの数量及び位置は需要に応じて変更可能である。
使用者はシート２５に座り、両足をそれぞれ２つのペダル２６に載せ、手でハンドル１２１を握り、ハンドル１２１を引くことでベルトレシーバー１２３が回転を行い、パドル１１が連動されて回転を行う。引き戻し装置１２４がベルトレシーバー１２３に連結されると共にベルトレシーバー１２３と一緒に回転を行い、引き戻し装置１２４はベルト１２６をベルトレシーバー内に引き戻すために用いられる。例えば、引き戻し装置１２４内にはぜんまいばね（図示せず）が設置され、ぜんまいばねによりベルト１２６をベルトレシーバー１２３内に戻す力が提供される。
【００２３】
図２Ａ及び図３Ａは本考案の第１実施形態に係る可変抵抗を有するエクササイズマシン１を示す一部の斜視図であり、図２Ｂ及び図３Ｂは本考案の第１実施形態に係る可変抵抗を有するエクササイズマシン１を示す一部の側面図である。図１Ａ乃至図３Ｂに示されるように、調整装置１３はリンク機構１３０及びノブ１３１を備える。ノブ１３１にはリンク機構１３０が連結され、リンク機構１３０には調整ロッド１２５が連結され、ノブ１３１が回転を行うことにより調整ロッド１２５の高さが調整される。
【００２４】
図２Ｃは本考案の第１実施形態に係る可変抵抗を有するエクササイズマシンの調整装置１３を示す一部の斜視図である。図１Ａ乃至図３Ｂに示されるように、リンク機構１３０は横固定管１３２と、ベース１３３と、ピボットベース１３４と、リンクアーム１３５と、ナット１３６等とを備える。
横固定管１３２は２つの側管２２の間に連結され、ピボットベース１３４は横固定管１３２の下方に連結される。ベース１３３及びリンクアーム１３５の後端はピボットベース１３４に連結される。実施において、ベース１３３及びリンクアーム１３５は一体成形される。ノブ１３１はナット１３６に噛合された後にベース１３３に固定されるねじ山を有する。リンクアーム１３５の前端の両側にはスロット１３５１を各々有し、固定部品１３５２はスロット１３５１に内設されると共に調整ロッド１２５の上端に固定される。
【００２５】
図１Ａ乃至図３Ｂに示されるように、使用者がノブ１３１を回転させることにより、リンクアーム１３５が連動され、調整ロッド１２５を昇降させ、流体中におけるパドル１１の深さが変わる。これにより、パドル１１の回転抵抗力が調整され、エクササイズマシン１が異なる抵抗力を提供可能になる。
図２Ａ及び図２Ｂに示されるように、ノブ１３１が回転を行うと、ノブ１３１によりベース１３３が圧下され、ベース１３３に固定されるリンクアーム１３５の前端が傾いて調整ロッド１２５が持ち上げられ、パドル１１の流体１５中における位置が上に移動することにより回転抵抗力が軽減される。
図３Ａ及び図３Ｂに示されるように、ノブ１３１が回転を行うと、ノブ１３１によりベース１３３が引き上げられ、ベース１３３に固定されるリンクアーム１３５の前端が沈み込んで調整ロッド１２５が降下され、流体１５中におけるパドル１１の位置が下に移動することにより回転抵抗力が増加する。需要に応じてノブ１３１を回転することにより適切な抵抗値に調整可能である。
【００２６】
（第２実施形態）
本考案の第２実施形態の構成を図４から図６に示す。図４は本考案の第２実施形態に係る可変抵抗を有するエクササイズマシン２を示す一部の斜視図（一部の部材は図示せず）であり、図５及び図６は本考案の第２実施形態に係る可変抵抗を有するエクササイズマシン２を示す側面図である。本実施形態の第１実施形態との差異は、調整装置１３’のみであり、他の部材は第１実施形態と同じであるため再述しない。
【００２７】
図４乃至図６に示されるように、本実施形態では、調整装置１３’はノブ１３７と、ノブカバー１３８と、台座１３９とを有する。調整ロッド１２５の上半部または上端にはねじ山を有し、ノブ１３７は調整ロッド１２５のねじ山に噛合されるめねじを有し、ノブカバー１３８は台座１３９に固定され、台座１３９は上部支持管２３に固定される。
【００２８】
操作において、使用者はノブ１３７を回転させることにより、調整ロッド１２５を上下に移動させることができる（図４乃至図６参照）。図５に示されるように、調整ロッド１２５が上に移動すると、流体中におけるパドル１１の位置が浅くなり、その回転抵抗力が軽くなる。図６に示されるように、調整ロッド１２５が下に移動すると、流体中におけるパドル１１の位置が深くなり、その回転抵抗力が増加する。これにより、エクササイズマシン１が異なる抵抗力を提供可能になる。
【００２９】
（第３実施形態）
本考案の第３実施形態の構成を図７から図１０に示す。図７及び図８は本考案の第３実施形態に係る可変抵抗を有するエクササイズマシン３を示す一部の斜視図（一部の部材は図示せず）であり、図９及び図１０は本考案の第３実施形態に係る可変抵抗を有するエクササイズマシン３を示す側面図である。本実施形態の第１実施形態との差異は調整装置１３”のみであり、他の部材は第１実施形態と同じであるため再述しない。
【００３０】
さらに、図７乃至図８に示されるように、調整装置１３”はシャフト１４１と、制御部材１４２と、スリーブ１４３と、２つのバネ１４４と、固定板１４５と、接続部材１４６と、支持板１４７とを有する。
固定板１４５は２つの側管２２の間に固定される。シャフト１４１はスリーブ１４３を貫通させ、シャフト１４１の上端は固定板１４５に固定され、シャフト１４１の下端は上部支持管２３に固定される。制御部材１４２はスリーブ１４３の開口部（図示せず）を貫通させる。支持板１４７はスリーブ１４３に固定され、力をかける支点とする。他の実施形態においては、支持板１４７が省略される。また、２つのバネ１４４はスリーブ１４３の内部に位置され、制御部材１４２の両側にそれぞれ位置されると共にシャフト１４１により貫通される。各バネ１４４は第一端及び第二端を有し、第一端はスリーブ１４３の内壁に連結され、第二端は制御部材１４２に連結される。
【００３１】
図７乃至図１０に示されるように、所定の状況下において、即ち、使用者が制御部材１４２を押していない場合、２つのバネ１４４の内径がシャフト１４１の外径より小さくなる。この際、バネ１４４がシャフト１４１により開かれ、バネ１４４の反対方向へのトルクにより長軸４４５がロックされ、スリーブ１４３がシャフト１４１にロックされ、シャフト１４１に沿って移動不能になる。
使用者が支持板１４７を支点として制御部材１４２を押すと、バネ１４４の内径が拡大し、バネ１４４の内径がシャフト１４１の外径より大きくなり、シャフト１４１がバネ１４４によりロックされなくなり、スリーブ１４３が長軸４４に沿って上下移動可能になる。接続部材１４６の両端は調整ロッド１２５及びスリーブ１４３にそれぞれ連結される。これにより、スリーブ１４３が上下移動を行う場合、調整ロッド１２５も一緒に上下移動を行う。
【００３２】
図９に示されるように、調整ロッド１２５が上に移動すると、流体１５中におけるパドル１１の位置が浅くなり、その回転抵抗力が軽くなる。また、図１０に示されるように、調整ロッド１２５が下に移動すると、流体１５中におけるパドル１１の位置が深くなり、その回転抵抗力が増加する。これにより、エクササイズマシン１が異なる抵抗力を提供可能となる。
【００３３】
上述したように、本考案の実施形態に係るエクササイズマシンは、使用者が便利且つ高速に動作抵抗力を調整可能になる。
【００３４】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３５】
１  エクササイズマシン
２  エクササイズマシン
３  エクササイズマシン
１０  流体容器
１１  パドル
１２  駆動装置
１３  調整装置
１３’調整装置
１３”調整装置
２０  フロントチューブ
２１  リアチューブ
２２  側管
２３  上部支持管
２４  ガイドトラック
２５  シート
２６  ペダル
２７  滑車
２８  フレーム
１２１  ハンドル
１２２Ａ  ローラー
１２２Ｂ  ローラー
１２２Ｃ  ローラー
１２３  ベルトレシーバー
１２４  引き戻し装置
１２５  調整ロッド
１２６  ベルト
１３０  リンク機構
１３１  ノブ
１３２  横固定管
１３３  ベース
１３４  ピボットベース
１３５  リンクアーム
１３６  ナット
１３７  コントロールノブ
１３８  ノブカバー
１３９  台座
１４１  シャフト
１４２  制御部材
１４３  スリーブ
１４４  バネ
１４５  固定板
１４６  接続部材
１４７  支持板
１３５１  スロット
１３５２  固定部品
【図１Ａ】
0003214581.tif 000003
【図１Ｂ】
0003214581.tif 000004
【図２Ａ】
0003214581.tif 000005
【図２Ｂ】
0003214581.tif 000006
【図２Ｃ】
0003214581.tif 000007
【図３Ａ】
0003214581.tif 000008
【図３Ｂ】
0003214581.tif 000009
【図４】
0003214581.tif 000010
【図５】
0003214581.tif 000011
【図６】
0003214581.tif 000012
【図７】
0003214581.tif 000013
【図８】
0003214581.tif 000014
【図９】
0003214581.tif 000015
【図１０】
0003214581.tif 000016